(57)【要約】【課題】省スペースで、かつ、十分な冷却能力を発揮することが可能なチャージパイプを提供すること。【解決手段】チャージパイプは、車両が搭載するエアコンプレッサで圧縮された空気が流通する内側流路を形成する内管と、前記内管の外側に設けられ、前記内管との間に、圧送された冷却水が流通する外側流路を形成する外管と、を備える。【選択図】図２
2020165350.tif 000002
【特許請求の範囲】
【請求項１】
車両が搭載するエアコンプレッサで圧縮された空気が流通する内側流路を形成する内管と、
前記内管の外側に設けられ、前記内管との間に、圧送された冷却水が流通する外側流路を形成する外管と、を備える
チャージパイプ。
【請求項２】
請求項１に記載のチャージパイプと、
前記冷却水を圧送するポンプと、
内燃機関を冷却することによって昇温された前記冷却水の放熱を行うラジエータと、
前記ポンプによって圧送される前記冷却水の一部を前記内燃機関に供給し、前記冷却水の一部を前記チャージパイプに供給する流路を備える、
冷却構造。
【請求項３】
車両が搭載するエアコンプレッサで圧縮された空気が流通する内側流路を形成する内管と、前記内管の外側に設けられ、前記内管との間に、圧送された冷却水が流通する外側流路を形成する外管と、を備えるチャージパイプと、
前記冷却水を圧送するポンプと、
内燃機関を冷却することによって昇温された前記冷却水の放熱を行うラジエータと、
前記ポンプによって圧送される前記冷却水の一部を前記内燃機関に供給し、前記冷却水の一部を前記チャージパイプに供給する流路を備え、
前記内燃機関の始動時に、前記エアコンプレッサで圧縮された前記空気及び前記ポンプで圧送された前記冷却水が前記チャージパイプに供給され、前記チャージパイプを流通した後の前記冷却水が前記内燃機関に供給される、
冷却システム。
【発明の詳細な説明】
【技術分野】
【０００１】
本開示は、チャージパイプに関するものであり、特に、車両のエアコンプレッサとエアドライヤとをつなぐチャージパイプに関する。また、そのようなチャージパイプを備える冷却構造及び冷却システムに関する。
【背景技術】
【０００２】
従来、車両のブレーキや空気ばねを作動させるための圧縮された空気を貯蔵するために、車両にエアタンクを設けることがある。エアタンクの上流には空気を乾燥させるエアドライヤが設けられており、エアドライヤの上流には、空気を圧縮するエアコンプレッサが設けられている。エアコンプレッサで圧縮された空気は水分を含むため、エアドライヤで乾燥させてからエアタンクに貯蔵される。エアコンプレッサとエアドライヤとはチャージパイプと呼ばれる供給路を介して接続される。
【０００３】
ところで、エアコンプレッサによって圧縮された空気は１２０℃程度まで温度が上昇するが、そのままの高温空気をエアドライヤに供給するとエアドライヤの故障を招くことになる。そのため、従来では、チャージパイプの長さを長くするなどによって供給路の表面積を増加させて放熱することで、空気の温度をエアドライヤの許容温度まで低下させていた。このような自然放熱を利用した冷却を用いた技術として、特許文献１に開示されるチャージパイプが挙げられる。
【０００４】
しかしながら、このような方法によると、自然放熱に頼った冷却方法であるため、チャージパイプ内の空気の温度を十分低下させるには相当な長さのチャージパイプが必要となり、チャージパイプの取り回しスペースが過大になってしまうという問題があった。また、特許文献１に開示されるように、チャージパイプの周囲に冷却フィンを設け、供給路の表面積を増加させることも考えられるが、チャージパイプ自体の容積が大きくなり設置スペースが必要となるとともに、自然放熱に頼った冷却方法であることに変わりはなく、やはり、チャージパイプの取り回しスペースが過大となる。
【０００５】
ここで、小さいスペースで空気を冷却する技術として、特許文献２に示すように、エアコンプレッサ出口に冷却水を流通させるジャケットを設け、冷却水を用いて積極的に冷却する技術が開発されている。
【０００６】
ところが、特許文献２に開示される技術によると、エアコンプレッサと一体となった冷却水回路を構成するため、エアコンプレッサ出口の空気だけでなく、エアコンプレッサ全体の熱を奪うこととなり、非効率的なだけでなく、出口付近のみの冷却であるため、十分に空気を冷却することができないという問題があった。
【先行技術文献】
【特許文献】
【０００７】
【特許文献１】特開２００９−１５４６１４号公報
【特許文献２】特開２００９−２０９９３０号公報
【発明の概要】
【発明が解決しようとする課題】
【０００８】
本開示の目的は、省スペースで、かつ、十分な冷却能力を備えるという、相反する課題を解決することができるチャージパイプ、冷却構造及び冷却システムを提供することである。
【課題を解決するための手段】
【０００９】
本開示の一態様に係るチャージパイプは、車両が搭載するエアコンプレッサで圧縮された空気が流通する内側流路を形成する内管と、前記内管の外側に設けられ、前記内管との間に、圧送された冷却水が流通する外側流路を形成する外管と、を備える。
【発明の効果】
【００１０】
本開示に係るチャージパイプ、冷却構造及び冷却システムによれば、省スペースで、かつ、十分な冷却能力を発揮することができる。
【図面の簡単な説明】
【００１１】
【図１】図１は、本実施形態に係るチャージパイプを含む空気供給装置を示す模式図である。
【図２】図２は、本実施形態に係るチャージパイプの断面を示す模式図である。
【図３】図３は、本実施形態に係る冷却水供給装置及び空気供給装置を示す模式図である。
【発明を実施するための形態】
【００１２】
以下、本開示の実施形態について、図面を参照して詳細に説明する。なお、以下に説明する実施形態は一例であり、本開示はこの実施形態により限定されるものではない。
【００１３】
［空気供給装置の全体構成］
図１を参照して、本実施形態に係るチャージパイプ１１を含む空気供給装置１０の全体構成について説明する。本実施形態に係る空気供給装置１０は、エアコンプレッサ１２、チャージパイプ１１、エアドライヤ１３、エアタンク１４からなる。
【００１４】
エアコンプレッサ１２では、吸入した空気を所望の圧力まで圧縮する。エアコンプレッサ１２で圧縮された空気は約１２０℃と高温になるため、そのままエアドライヤ１３に供給するとエアドライヤ１３の耐用温度を超え、故障の原因となる。そのため、チャージパイプ１１で６０〜８０℃まで冷却してエアドライヤ１３に供給する。チャージパイプ１１の詳細については後述する。チャージパイプ１１で６０〜８０℃まで冷却された空気はエアドライヤ１３に流入し、エアドライヤ１３で空気中の水分を除去されたのち、エアタンク１４に貯蔵される。エアタンク１４に貯蔵された空気は、適宜のタイミングで図示しないブレーキや空気ばね等、圧縮空気を必要とするコンポーネントに供給され、利用に供される。
【００１５】
［チャージパイプ１１の構成］
次に、図２を用いて、本実施形態に係るチャージパイプ１１の構造について説明する
【００１６】
本実施形態に係るチャージパイプ１１は、内管１１ｉと外管１１ｏとからなる二重管構造を呈するものであり、内管１１ｉの内部に内側流路１１ｉｐが、内管１１ｉと外管１１ｏの間に外側流路１１ｏｐが形成される。
【００１７】
内側流路１１ｉｐには、エアコンプレッサ１２で圧縮された高温の空気が流通し、外側流路１１ｏｐには、空気を冷却するためにポンプ２１から圧送される冷却水が流通する。そのため、外側流路１１ｏｐを流通する冷却水によって、内側流路１１ｉｐを流通する高温の空気が冷却される。ポンプ２１によって強制的に冷却水を外側流路１１ｏｐに流通させることで、冷却水と高温空気の間の熱伝達率を向上させることができ、短い流路でも十分な冷却能力を得ることができる。
【００１８】
また、冷却効率を向上させるために、外側流路１１ｏｐを流通する冷却水と、内側流路１１ｉｐを流通する空気とが対向流となるように流れの向きを設定することが好ましい。
【００１９】
このように、チャージパイプ１１を内管１１ｉと外管１１ｏによる二重管構造とし、内管１１ｉ内を内側流路１１ｉｐ、内管１１ｉと外管１１ｏとの間を外側流路１１ｏｐとして、内側流路１１ｉｐに高温の空気を流通させ、外側流路１１ｏｐに冷却水を流通させることで、高温空気の温度を効果的に下げることができる。特に、冷却水をポンプ２１を使用して強制的に流通させること、及び、高温空気と冷却水とを対向して流通させることにより、熱伝達率を上げ、短い流路でも十分な冷却能力を得ることができる。
【００２０】
このとき、約１２０℃の温度でチャージパイプ１１に流入する空気は、チャージパイプ１１で冷却されることで、約６０〜８０℃の温度となることが好ましい。６０〜８０℃程度まで冷却されることで、エアドライヤ１３を損傷させることなく、エアドライヤ１３において水分を除去することができる。
【００２１】
［空気供給装置及び冷却水供給装置の全体構成］
図３を参照して、本実施形態に係る本実施形態に係る空気供給装置１０及び冷却水供給装置２０の全体構成について説明する。なお、空気供給装置１０については、図１に示したものと同様であるため、説明を省略する。空気供給装置１０及び冷却水供給装置２０によって冷却構造が構成されている。また図示しない制御装置によって、空気供給装置１０及び冷却水供給装置２０を構成する各機器の制御が行われる。冷却構造及び制御装置によって冷却システムが構成されている。
【００２２】
図３において、車両の冷却水供給装置２０は、冷却水を圧送するためのポンプ２１と、温度によって流路の切り替えを行うサーモスタット２２と、昇温された冷却水の放熱を行うラジエータ２３とによって構成される。このように構成された冷却水供給装置２０を使用して、加熱した内燃機関３０を循環する冷却水によって冷却する。このような冷却水供給装置２０は、従来より車両に備わっているものである。
【００２３】
本実施形態において、エアコンプレッサ１２から流出する高温空気を冷却するための冷却水供給装置２０は、内燃機関３０を冷却するための冷却水供給装置２０と共通のものとして構成される。すなわち、図３に示すように、ポンプ２１によって圧送される冷却水は、その一部が内燃機関３０に供給され、内燃機関３０の冷却に利用されるとともに、一部がチャージパイプ１１に供給される流路を備える。
【００２４】
そして、チャージパイプ１１で高温空気を冷却することで加温された後の冷却水は、サーモスタット２２を経てラジエータ２３で減温され、再びポンプ２１で圧送されて冷却に供される。
【００２５】
このように、内燃機関３０の冷却水と共通する冷却水供給装置２０を利用して高温空気を冷却することにより、新たな動力源を設置することなく、高温空気を効率的に冷却することができる。すなわち、新たな動力源の設置スペースの追加を不要とし、チャージパイプ１１自体の設置スペースを少なくすることができ、しかも、高温空気の効率的な冷却を実現することができる。
【００２６】
また、高温空気の冷却水供給装置２０と内燃機関３０の冷却水供給装置２０を共通のものとすることにより、始動時の内燃機関３０の暖機のための熱源を、加温された冷却水によってまかなうことができる。つまり、高温空気を冷却することによって加温された冷却水を、内燃機関３０を暖めるために使用する。この点について、以下に詳細を説明する。
【００２７】
内燃機関３０の始動時において、内燃機関３０の温度は常温まで下がっている状態であるが、排気の後処理の触媒活性や燃料消費量の効率を考慮すると、内燃機関３０を強制的に暖機して、早期に所定の温度まで昇温する必要がある。特に、排気量の大きい内燃機関３０においては、熱容量が大きいため、所望の温度まで昇温するのに時間がかかる。
【００２８】
一方、エアコンプレッサ１２は始動時においても通常通りに作動するため、エアコンプレッサ１２で圧縮される空気は約１２０℃まで昇温される。そして、上述の通り、高温の空気はチャージパイプ１１を流通する冷却水によって所望の温度まで減温され、冷却水は６０〜８０℃程度まで昇温される。
【００２９】
そこで、内燃機関３０の始動時において、チャージパイプ１１で昇温された冷却水を内燃機関３０に供給することで、冷却水が保有する熱により、内燃機関３０を加熱することができる。つまり、チャージパイプ１１を流通して昇温された冷却水を、ラジエータ２３に供給して放熱するのではなく、内燃機関３０に供給してその熱を利用する。
【００３０】
このように、チャージパイプ１１で熱交換を行った後の冷却水が保有する熱を内燃機関３０の暖機に利用することで、他の動力を用いることなく、内燃機関３０を早期に暖機することができる。
【００３１】
このような制御は図示しない制御部によって行われる。このような制御は、始動直後から可能であり、内燃機関３０に６０〜８０℃に昇温された冷却水を供給し続けることにより、内燃機関３０は徐々に加熱され、内燃機関３０が約６０℃まで加熱されると、暖機を終了する。暖気の終了に際しては、チャージパイプ１１を流通して昇温された冷却水を、ラジエータ２３に供給することによって行う。
【００３２】
このように、内燃機関３０の暖機に、高温の空気と熱交換することによって昇温された冷却水を使用することで、他の動力や他の熱源を使用することなく、また、エネルギーを無駄に捨てることなく、効率的に暖機を行うことができる。
【００３３】
以上説明したように、本実施形態に係るチャージパイプは、車両におけるエアコンプレッサとエアドライヤとを接続し、内部にエアコンプレッサで圧縮された空気が流通するチャージパイプであって、チャージパイプは内管と外管とを備える二重管構造であり、内管の内側に内側流路が形成され、内管と外管の間に外側流路が形成され、内側流路にエアコンプレッサで圧縮された空気が、外側流路に圧送された冷却水が流通するチャージパイプである。
【００３４】
チャージパイプは内管と外管とを備える二重管構造であり、内管の内側に形成された内側流路にエアコンプレッサで圧縮された空気が、内管と外管の間に形成された外側流路に圧送された冷却水が流通するため、大きなスペースを必要とせず、圧縮空気を所望の温度まで冷却することができる。
【００３５】
それにより、省スペースで、かつ、十分な冷却能力を発揮することが可能なチャージパイプを提供することができる。
【００３６】
また、本実施形態に係るチャージパイプにおいて、冷却水を圧送するためのポンプと、内燃機関を冷却することによって昇温された冷却水の放熱を行うラジエータとによって構成され、冷却水が循環する冷却水供給装置と、エアコンプレッサとチャージパイプとエアドライヤとからなる空気供給装置とを備え、冷却水供給装置は、ポンプによって圧送される冷却水の一部を内燃機関に供給し、一部をチャージパイプに供給する流路を備える。
【００３７】
内燃機関を冷却するための冷却水を使用して圧縮空気を冷却するため、冷却水を流通させるための新たな動力源を必要とせず、高温空気の効率的な冷却を実現することが可能となる。
【００３８】
また、本実施形態に係るチャージパイプにおいて、内燃機関の始動時に、エアコンプレッサで圧縮された空気及びポンプで圧送した冷却水がチャージパイプに供給され、チャージパイプを流通した後の冷却水が内燃機関に供給される。
【００３９】
始動時において、チャージパイプを流通し熱交換を行った後の冷却水が内燃機関に供給されるため、温まった冷却水が保有する熱を利用して、内燃機関の暖機を行うことが可能となる。
【００４０】
そのため、他の動力や他の熱源を使用することなく、また、エネルギーを無駄に捨てることなく、効率的に暖機を行うことができる。
【００４１】
以上、本開示の実施形態について説明したが、本開示は、上述の実施形態に限定されるものではなく、本開示の趣旨を逸脱しない範囲で、適宜変形して実施することが可能である。
【産業上の利用可能性】
【００４２】
本開示のチャージパイプによれば、省スペースで、かつ、十分な冷却能力を備えるという、相反する課題を解決することができ、産業上の利用可能性は多大である。
【符号の説明】
【００４３】
１０  空気供給装置
１１  チャージパイプ
１１ｉ  内管
１１ｏ  外管
１１ｉｐ  内側流路
１１ｏｐ  外側流路
１２  エアコンプレッサ
１３  エアドライヤ
１４  エアタンク
２０  冷却水供給装置
２１  ポンプ
２２  サーモスタット
２３  ラジエータ
３０  内燃機関
【図１】
2020165350.tif 000003
【図２】
2020165350.tif 000004
【図３】
2020165350.tif 000005